Podtech/llm-jp-corpus-v4-ja_patent huggingface dataset:
(57)【要約】      （修正有）【課題】雪を掬いやすい先端形状で角度調節の付いた柄を調節する事により、身長差に関係なく先端部に力を加えることが可能となり押して行くだけで平らに除雪が出来る角度調節付除雪・排雪道具を提供する。【解決手段】先端から付けられた柄部１で加えた力が先端５に伝わる様に角度調節部２で調整し身長に合わせた高さを確保できるように形成する。胴体部３は平から弧を描き高く立ち上がった形状で、胴体側部により雪等が横へ溢れるのを防ぐ。胴体部凹凸４により強度を増し、雪離れを良くする。先端５から胴体部３の底面までの間に平らな部分を作る。先端部５は薄く徐々に厚くなる形状で雪が掬いやすく、先端に配した取り付け部６により除雪用具取り付け刃等、が取り付けられる形状にする。以上の構造で胴体部には材料にポリカーボネイトやポリエチレン等の樹脂を使用、柄には軽量のスチールパイプ又は樹脂を使用する等で、軽さと適切な厚さ補強により強度を持たせる。【選択図】図１
0003180569.tif 000002
【実用新案登録請求の範囲】
【請求項１】
底面が平で先端が薄い先端形状、先端から胴体部に沿って直線的に伸びる柄は先端部に力点が来るよう設定され、柄の中間付近にある角度調節部により腰高に調節、その事により胴体部は平面から弧を描いて立ち上がった奥が高い形状となる為、樹脂を使い軽量化を図り、身長差に関係なく、加える力を無駄なく先端部に伝え、立ったままの姿勢での作業が可能となり、女性や力の弱い方でも効率よく使える角度調節付き除雪、排雪道具である。
【考案の詳細な説明】
【技術分野】
【０００１】本考案は、降雪時の除雪、排雪道具に関するものである。
【背景技術】
【０００２】降雪時の除雪、排雪作業等において、人員で作業の際はスコップ、スノーダンプ、スノープッシャー等の道具にて行っている。【０００３】
【特許文献】公開番号
【考案の開示】
【考案が解決しようとする課題】
【０００４】現在、降雪時の作業など、人員により行なっている場合。従来から有るスノーダンプ等を使用しているが、その形状はＬ型で力点が胴体部後方に有る為力を加えると先端部が上がってしまう等、力が分散され扱いづらく作業効率が悪い、胴体部を持ち上げ先端角度を合わせ押していく作業となり体にかかる負担が大きい為、軽量で弱い力でも効率よく作業出来る排雪用具を作る事により前述の欠点を解決する。
【課題を解決するための手段】
【０００５】本考案は、先端から延びる柄の角度を先端部に力点が来るように設定。調節部で調節する事により身長差が有っても置いたままで降雪時の雪集め、排雪等の作業が効率よく、また断続的に作業が出来、軽くて使い勝手の良い用具を作る事から問題点を解決する。
【考案の効果】
【０００６】上記の様に、本考案の角度調節付き除雪、排雪道具は雪を掬いやすい先端形状で角度調節の付いた柄は調節する事により、身長差に関係なく先端部に力を加えることが可能となり押して行くだけで平らに除雪が出来る。胴体部は雪等を押し集め易い、平から弧を描いて立ち上がる形状で奥が高い、底面に配した溝は強度を増すと同時に雪が後方に集まりやすく雪離れが良い。樹脂の使用により軽量な道具で、女性や力の弱い方でも使用が安易で、人的負担が軽減され、短時間で綺麗な仕上がりを実現、また長時間の作業が可能になる。また収納時は柄を折りたたむ事によりコンパクトに収納が出来、場所を取らない等の効果が得られる。
【考案を実施するための最良の形態】
【０００７】先端部より取り付けられた柄は作業時に自然に立ち無理の無い態勢で作業が出来る高さに調節する。平らな先端形状で雪を掬い胴体の弧を描き立ち上がった部分で後方に集め、先端部に力点が来るよう調整された柄は加える力を逃さず先端部に伝え、胴体部の横や上部の形状が、雪こぼれを防ぎ、効率良く掬う、押す等の排雪作業を可能にする。また適切な樹脂の使用により軽量で作業に必要な強度が得られ、降雪時の除雪作業を行う為の軽くて丈夫な道具となる。
また、先端部を用途により、除雪用具取り付け刃（登録３１６６７３９号）等を装着できる形状にしており、より効率良く作業が出来る。
【実施例】
【０００８】以下、実施例は添付図面に沿って説明する。
１は先端から付けられた柄部で加えた力が先端に伝わる様に設定、２の角度調節部で調整し身長に合わせた高さを確保できる。３の胴体部は平から弧を描き高く立ち上がった形状で、胴体側部により雪等が横へ溢れるのを防ぐ。４の胴体部凹凸により強度を増し、雪離れが良くなる。５の先端から３の胴体部底面までの間に平らな部分を作る事により地形に沿っての作業が容易になる。５の先端部は薄く徐々に厚くなる形状で雪が掬いやすく、６の先端に配した取り付け部により除雪用具取り付け刃等、が取り付けられる形状になっている。以上の構造で胴体部には材料にポリカーボネイトやポリエチレン等の樹脂を使用、柄には軽量のスチールパイプ又は樹脂を使用する等で、軽さと適切な厚さ補強により強度を持たせる。
【産業上の利用可能性】
【０００９】降雪時の除雪、排雪作業等、先端が強化され力点が先端部に有る為、重い雪硬い雪も平らに綺麗に除雪、利用価値は高く、一般への普及が考えられる。
【図面の簡単な説明】
【０００１０】
【図１】本考案、角度調節付き除雪、排雪道具の実施例を示す平面及び全体図である。
【符号の説明】
【００１１】１  柄部
２  角度調整部
３  胴体部
４  胴体部溝
５  先端部
６  除雪用具取り付け刃（登録３１６６７３９号）等、装着部
【図１】
0003180569.tif 000003
(57)【要約】      （修正有）【課題】１台のベッドを２台のソファーに変形できるソファーベッドを提供する。【解決手段】２台のソファーをフックによって固定する。【選択図】図３
0003180527.tif 000002
【実用新案登録請求の範囲】
【請求項１】
ベッドを２分割して２台のソファーにする。
【請求項２】
２台のソファーを結合してベッドにする。
【考案の詳細な説明】
【技術分野】
【０００１】  この考案は、ソファーベッドに関するものである。
【背景技術】
【０００２】  現在ワンルームマンション等の部屋が狭い場所では、寝るときはベッド、それ以外はソファーになるソファーベッドがはやっているが、１台のソファーにしか変形できない。
【考案の概要】
【０００３】  １台のベッドを分離して２台のソファーに変形できるソファーベッドである。
【考案が解決しようとする課題】
【０００４】  従来のソファーベッドは１台のソファーにしかできず、またどのメーカーのソファーベッドも、ソファー時座高が高いので冬場コタツでの使用が出来ない。
【課題を解決するための手段】
【０００５】  フックを使用することにより、ベッド時には２台のローソファーを合体させる。ソファーの座る部分の左右の接地点をフックで固定して、離れないようにする。ソファー時にはフックを外して分離する。
【考案の効果】
【０００６】  ソファー時、座高が低いため冬場コタツでの使用が可能となる。又２台のソファーに分離できることにより、来客時、対面式のソファーとして使用することができる。
そして、２人掛け用ソファー仕様ならば最大４人まで座る事ができる。
【図面の簡単な説明】
【０００７】
【図１】ベッド時を横から見た図である。ベッド時の図１、図２はソファーのギヤをフラットにして、座部の側面にフック（登録商標Ｍクラフト等）で接合する。
【図２】ベッド時を上から見た図である。
【図３】ソファー時を横から見た図である。フックをはずし、背もたれをギヤで上げ下げして適度な傾斜にする。
【符号の説明】
【０００８】  １  本体マット
２  フック
３  ギヤ
４  ギヤ
【図１】
0003180527.tif 000003
【図２】
0003180527.tif 000004
【図３】
0003180527.tif 000005
【手続補正書】
【提出日】平成24年10月12日(2012.10.12)
【手続補正１】
【補正対象書類名】明細書
【補正対象項目名】０００７
【補正方法】変更
【補正の内容】
【０００７】
【図１】ベッド時を横から見た図である。ベッド時の図１、図２はソファーのギヤをフラットにして、座部の側面にフック（ショルダーバッグ等で使用する連結部品）で結合する。
【図２】ベッド時を上から見た図である。
【図３】ソファー時を横から見た図である。フックをはずし、背もたれをギヤで上げ下げして適度な傾斜にする。
【手続補正２】
【補正対象書類名】実用新案登録請求の範囲
【補正対象項目名】全文
【補正方法】変更
【補正の内容】
【実用新案登録請求の範囲】
【請求項１】
２台のソファーをフックによって固定したことを特徴とする分裂式ソファーベッド。
(57)【要約】      （修正有）【課題】使い捨てカイロの位置を調整して、背中の適切な部位を温めることができるストールを提供する。【解決手段】ストールの中心部に設けられた垂直に垂れ下がっているふんどし状部位に、使い捨てカイロを挿入するポケットを複数備える。ふんどし状部位は巻き付け部位を介してストールに設けられる。【選択図】図１
0003180524.tif 000002
【実用新案登録請求の範囲】
【請求項１】
ストールの中心部（首根元部分）から、９０度垂直にふんどし状に垂れ下がっている形状。そのふんどし状にポケットを作成し、そこに使い捨てカイロ（ホカロンのようなもの）を挿入して背中を温めるもの
【請求項２】
ポケットがついたふんどし状のものは、ストールを回転させることが巻き上げられ、自分の希望する位置にポケット（ホカロン入り）が調整出来る。
ふんどし状の部分のポケットは一個に限らず、複数のポケットを作成することで、温める位置が増やすことができる
【考案の詳細な説明】
【技術分野】
【０００１】本考案は背中を温める為に、ストールの中心部（首根部分）にふんどし状の部位にポケットを作り、そこにカイロなどを入れて、温めることが出来る
【背景技術】
【０００２】従来はストールにカイロを収納するポケットをつけ、さらにその位置が調整出来るものはなかった。
【考案が解決しようとする課題】
【０００３】十らのホカロンは拭くのポケットに入れるか、粘着性のホカロンを肌着やＴシャツに貼るが、服を着替えるたびに張り替えなければならない。ストールとすることで、背中から首根の分までを一緒に温めることが出来る。
また粘着性のホカロンはその粘着質がＴシャツや肌着などに付着してごわごわしてしまう。
背中の温めたい位置を、ふんどし状の部位の首根部分を巻き上げることで位置の変更が出来ることが独自の考案です。
【考案の効果】
【０００４】本考案はホカロンを入れるポケットが一つ以上あること、そのふんどし状の部位をくるくると巻き上げることでその位置を調整出来ることにある。
それにより目的の部位にホカロンの位置を点ではなく面で調整し、的確に温めることが出来る。
【図面の簡単な説明】
【０００５】
【図１】本考案の全体図である
【図２】本考案を位置調整でくるくると巻き上げた状態である。
【考案を実施するための形態】
【０００６】ストールを広げ、ふんどし状に下げて前面を広げる。
当該考案ストールを首に巻いた時に背中のどの位置を温めたいかを決めるポケットにホカロンを入れて、希望する位置に当たるように上部をくるくると巻き上げて長さを調整する。
【符号の説明】
【０００７】１．ストール
２．ふんどし状部位
３．ポケット
４．巻き付け部分
【図１】
0003180524.tif 000003
【図２】
0003180524.tif 000004
【手続補正書】
【提出日】平成24年9月13日(2012.9.13)
【手続補正１】
【補正対象書類名】明細書
【補正対象項目名】全文
【補正方法】変更
【補正の内容】
【考案の詳細な説明】
【技術分野】
【０００１】本考案は背中を温める為に、ストールの中心部（首根部分）にふんどし状の部位にポケットを作り、そこに使い捨てカイロなどを入れて、温めることが出来る
【背景技術】
【０００２】従来はストールに使い捨てカイロを収納するポケットをつけ、さらにその位置が調整出来るものはなかった。
【考案が解決しようとする課題】
【０００３】従来の使い捨てカイロは拭くのポケットに入れるか、粘着性の使い捨てカイロを肌着やＴシャツに貼るが、服を着替えるたびに張り替えなければならない。ストールとすることで、背中から首根の分までを一緒に温めることが出来る。
また粘着性の使い捨てカイロはその粘着質がＴシャツや肌着などに付着してごわごわしてしまう。
背中の温めたい位置を、ふんどし状の部位の首根部分を巻き上げることで位置の変更が出来ることが独自の考案です。
【考案の効果】
【０００４】本考案は使い捨てカイロを入れるポケットが一つ以上あること、そのふんどし状の部位をくるくると巻き上げることでその位置を調整出来ることにある。  それにより目的の部位に使い捨てカイロの位置を点ではなく面で調整し、的確に温めることが出来る。
【図面の簡単な説明】
【０００５】
【図１】本考案の全体図である
【図２】本考案を位置調整でくるくると巻き上げた状態である。
【考案を実施するための形態】
【０００６】ストールを広げ、ふんどし状部位に下げて前面を広げる。
当該考案ストールを首に巻いた時に背中のどの位置を温めたいかを決めるポケットに使い捨てカイロを入れて、希望する位置に当たるように上部をくるくると巻き上げて長さを調整する。
【符号の説明】
【０００７】１．ストール
２．ふんどし状部位
３．ポケット
４．巻き付け部分
【手続補正２】
【補正対象書類名】実用新案登録請求の範囲
【補正対象項目名】全文
【補正方法】変更
【補正の内容】
【実用新案登録請求の範囲】
【請求項１】
ストールの中心部に設けられた垂直に垂れ下がっているふんどし状部位に、使い捨てカイロを挿入するポケット備えられているストール。
【請求項２】
前記ふんどし状部位は、巻き付け部分を介してストールに設けられており、前記ポケットは前記ふんどし状部位に複数設けられていることを特徴とする請求項１に記載のストール。
(57)【要約】      （修正有）【課題】果実の木に施され、低気圧や台風の強風による果実の落下の防止及び落下した果実の傷付きの防止を図る果実落下防止ネットを提供する。【解決手段】ネット１の中心から端に向け切れ目を入れネット１の回りに沿ってひも２を通し木を包み果実の落下を防止するネット１である。【選択図】図１
0003180521.tif 000002
【実用新案登録請求の範囲】
【請求項１】
ネットに中心から切れ目を入れ、回りにひもを通し木を包み強風に依る果実落下防止ネットです
【考案の詳細な説明】
【技術分野】
【０００１】  本考案はネットの中心から端に向け切れ目を入れネットの回りにひもを通した果実落下防止ネットに関するものである。
【背景技術】
【０００２】  低気圧、台風に依る強風で果実落下を指し生産者の悲しみをニュースで伝えている時。
【考案の概要】
【考案が解決しようとする課題】
【０００３】○強風に依る果実の落下を悲しむ生産者
○果物などの価格上昇
○国に依る被害者への補償
【課題を解決するための手段】
【０００４】  本考案図１のようにネットの中心から端に向け切り目を入れネットの回りにひもを通し木を包み果実落下を防止する物である
【考案の効果】
【０００５】  上述のように図１を使う事に依り、強風での果実落下を防ぎ、又、落下してもキズがつきにくい。
それにより、生産者も安心、物価上昇心配なし、国も助かる。包めない木は木の下に取り付ける
【図面の簡単な説明】
【０００６】
【図１】  本考案のネットの中心から端に向け切り目を入れ回りにひもを通し木を包む状態。
【図２】  ネットで木を包んだ状態
【符号の説明】
【０００７】▲１▼  ネット
▲２▼  ネットに通したひも
▲３▼  ネットに包まれる木と果実
【図１】
0003180521.tif 000003
【図２】
0003180521.tif 000004
【手続補正書】
【提出日】平成24年10月10日(2012.10.10)
【手続補正１】
【補正対象書類名】実用新案登録請求の範囲
【補正対象項目名】全文
【補正方法】変更
【補正の内容】
【実用新案登録請求の範囲】
【請求項１】
ネットの中心から端に向けて切れ目が存在し、当該ネットの回りに沿ってひもが通されたことを特徴とする果実落下防止ネット。
(57)【要約】      （修正有）【課題】スポーツボウリングなどの公認競技のルールで装着が義務付けされている各種団体のワッペンを、強力な磁石を用いて、簡単にユニホームなどに脱着できるマグネット式ワッペン取付けプレートを提供する。【解決手段】強力な磁石の引き合う力を利用し、磁石を組み込んだ樹脂製プレート１を作成し、両面テープにてプレート１にワッペンを貼り付け、ユニホームの装着したい場所に持っていき、ユニホームの裏側から吸着面を合わせて作成された樹脂製磁石付部品２を吸着させる事により保持され、ユニホームを傷付ける事なく、任意の場所に安全かつ簡単に装着出来るようにする。【選択図】図１
0003180526.tif 000002
【実用新案登録請求の範囲】
【請求項１】
ワッペン（Ｗ）などを貼り付けられるよう、強力な磁石（３）を組み込み薄く平らな形で作成した樹脂製プレート（１）と、そのプレート（１）に組み込まれた磁石と吸着面を合わせて作成された樹脂製磁石付部品（２）からなり、吸着面以外の余計な磁力を円板大（４）円板小（５）により軽減させ、まわりに磁力の影響をあまり与えないようにした事を特徴とするマグネット式ワッペン取付けプレート。
【考案の詳細な説明】
【技術分野】
【０００１】  本考案は、スポーツボウリングなどの公認競技のルールで装着が義務付けされている各種団体のワッペンを、強力な磁石を用いて、簡単にユニホームなどに脱着できるマグネット式ワッペン取付けプレートである。
【背景技術】
【０００２】  従来、ユニホームなどにワッペンを取り付ける方法として、一般的な安全ピンや両面テープなどで、おこなっていた。
【考案の開示】
【考案が解決しようとする課題】
【０００３】  従来の一般的な安全ピンで装着する場合、ユニホームに幾つもの穴が開いてしまうという問題点を有していた。また両面テープで装着した場合、競技中に剥がれ落ちてしまうという問題を解決することを課題とする。
【課題を解決するための手段】
【０００４】  この課題を解決する為、強力な磁石（３）を組み込み作成した樹脂製プレート（１）の表面に両面テープを貼り、ワッペンを貼り付ける。そのプレートをユニホームの装着したい場所に持っていき、ユニホームの裏側から吸着面を合わせて作成された樹脂製磁石付部品（２）を吸着させる事により、樹脂製プレート（１）を保持出来る。
【考案の効果】
【０００５】  本考案のマグネット式ワッペン取付けプレートにより、ユニホームなどを傷付ける事なく、簡単にワッペンなどを装着出来るようになる。
【考案を実施するための最良の形態】
【０００６】  図１はワッペン（Ｗ）を樹脂製プレート（１）に貼り付けた状態であり、磁石（３）により樹脂製磁石付部品（２）が吸着する位置関係を示した斜視図である。【０００７】  図２は、ユニホーム（Ｕ）に装着した状態の断面図である。樹脂製プレート（１）にワッペン（Ｗ）を両面テープなどで貼り付け、樹脂製プレート（１）に組み込まれた磁石（３）と、樹脂製磁石付部品（２）に組み込まれた磁石（３）が互いに引き合い、ユニホーム（Ｕ）を挟んで吸着する。また余計な磁力を軽減させる為、磁石（３）の吸着面と反対面に円板大（４）、円板小（５）が組み込まれている。
【産業上の利用可能性】
【０００８】  本考案に係るマグネット式ワッペン取付けプレートは、工業的に量産する事が可能である為、産業上の利用可能性を有する。
【図面の簡単な説明】
【０００９】
【図１】  ワッペン取り付け時の斜視図である。
【図２】  取り付け時の断面図である。
【符号の説明】
【００１０】  １                樹脂製プレート
２                樹脂製磁石付部品
３                磁石
４                円板大
５                円板小
Ｕ                ユニホーム
Ｗ                ワッペン
【図１】
0003180526.tif 000003
【図２】
0003180526.tif 000004
【手続補正書】
【提出日】平成24年10月12日(2012.10.12)
【手続補正１】
【補正対象書類名】実用新案登録請求の範囲
【補正対象項目名】全文
【補正方法】変更
【補正の内容】
【実用新案登録請求の範囲】
【請求項１】
ワッペン（Ｗ）を貼り付けられるよう、薄く平らな形のプレートに磁石（３）の片面に磁力を軽減させる円板大（４）を吸着させて組み込み作成した樹脂製プレート（１）と、そのプレート（１）に吸着面を合わせた磁石（３）の反対面に磁力を軽減させる円板小（５）を吸着させて組み込み作成した樹脂製磁石付部品（２）からなるマグネット式ワッペン取付けプレート。
(57)【要約】      （修正有）【課題】ファッション性に富み、通気効果も有する靴を提供する。【解決手段】靴に各種の形状の穴を開け、穴の囲みに沿って樹脂や縫い糸で補強装飾してなる。穴をフィルムで覆ってもよい。穴の型はハート型、トランプのスペード型、花びら型、動物型のいずれかである。【選択図】図１
0003180522.tif 000002
【実用新案登録請求の範囲】
【請求項１】
ハイヒール及び運動靴など靴の片側面、及び両側面に各種類の模様型の穴をあけ、穴を囲む枠を糸かがりや各着色した樹脂などを取り付けて装飾してなる靴。
【請求項２】
従来のハイヒール、及び運動靴、及び幼児の靴などの側面に開けた穴に透明フイルム及び各種着色フイルムを貼り装着してなる靴。
【請求項３】
取り付ける穴の型はハート型だけでなくトランプのスペード型、各種類の花びら型、及び動物型の穴型も特徴とする型を開けた靴の構造。
【考案の詳細な説明】
【技術分野】
【０００１】  本考案は靴の側面に任意の型の穴をあけたをあけた構造に関するものである。
ハイヒール及び運動靴などの靴においてハート型、スペード型、あるいは子供用には各種動物型やキャラクター型などの穴をあけて穴の周囲を囲む糸かがりや樹脂製カバーを取り付ける構造に係る。その結果女性用靴はファツション性に富み、子供用にはキャラクターの型を採用すれば楽しい玩具効果が発生する。
さらに足の汗漏れには通気効果も生まれる。なお、あけた穴には透明フイルム透明樹脂や着色されたプラステイックなどの樹脂製を貼る。
【背景技術】
【０００２】  本考案は従来の靴のくるぶし付近の片側面あるいは両側面に穴のあいたものはなかった。そこに任意の型や商品マークなどの穴をあけて、穴の周囲を囲む樹脂カバーなどを取り付けて為る。当該穴は通気性に富み、素足で履けば素足美も楽しめ、靴下を履けば靴下の色もアピール出来る。さらに当該穴に各種カラーフイルムを取り付ければ色彩効果も楽しむことが出来るのである。それによって通りを歩く楽しみの他にも靴のファッションショーにおいて通気の実用性のほかフイルムを貼った場合のカラフルさの注目度でユーザーを誘因し、宣伝効果をもたらすものである。
【考案の概要】
【考案が解決しようとする課題】
【０００３】  例えば、靴の穴を囲む材質においても、透明及び着色されたアクリル、エナメル、クリスタルガラスあるいは刺繍などで装飾してお洒落度を高めたり、子供用靴においては布製飾り、ゴム製でも良い。
【課題を解決するための手段】
【０００４】  本考案靴の穴の側面位置は靴の側面一箇所、あるいは両側面の２箇所でも良い。さらに両面の場合の穴の型はそれぞれ別型でも良い。
【考案の効果】
【０００５】  当該穴の型やデザインは、楽しさや面白い模様の種類を男女別及び年齢層に多様化して製作すれば購買層ごとに関心を高め、注目度や、宣伝効果へさらに繋がるため需要増にも資するものである。
【図面の簡単な説明】
【０００６】
【図１】靴にハート型の穴をあけ、穴の周囲に装飾樹脂を取り付けた本願考案の側面図である。
【図２】靴にハート型の穴をあけ、穴をふさぐ着色フイルムを取り付けて後に穴の周囲に装飾枠を取り付けた本願考案の側面図である。
【符号の説明】
【０００７】１‥‥‥‥‥靴
２‥‥‥‥‥側面に開けたハート型の穴
３‥‥‥‥‥ハート型の穴囲いの装飾枠
４‥‥‥‥‥着色フイルムを装備・取り付けたハート型の穴
【図１】
0003180522.tif 000003
【図２】
0003180522.tif 000004
【手続補正書】
【提出日】平成24年10月10日(2012.10.10)
【手続補正１】
【補正対象書類名】実用新案登録請求の範囲
【補正対象項目名】全文
【補正方法】変更
【補正の内容】
【実用新案登録請求の範囲】
【請求項１】
靴の片面及び両面に各種類の形状の穴を開け、穴の囲みに沿って樹脂や各色の縫い糸で補強装飾して成る靴。
【請求項２】
靴の片面及び両面に各種類の形状の穴を開けて、穴を透明や半透明、あるいは各着色フイルムで覆い、穴の囲みに沿って樹脂や縫い糸で補強装飾して成る靴。
【請求項３】
取り付ける穴の型はハート型、トランプのスペード型、各種類の花びら型、及び動物型のいずれかである請求項１又は２記載の靴。
(57)【要約】      （修正有）【課題】ファッション性に優れた靴を提供する。【解決手段】靴の踵部分に装飾用の球体物又は半球体物を取り付ける。【選択図】図３
0003180520.tif 000002
【実用新案登録請求の範囲】
【請求項１】
従来のハイヒールなどの靴の踵部分にビー玉などの装飾用の球体を取り付けた靴。
【請求項２】
従来のハイヒールなどの靴の踵部分に透明再生ガラス玉などを半球体に加工して踵に接着取り付けた靴。
【請求項３】
取り付ける球体物、半球体物の平面の型は正面が円形、三角形等だけでなく桜の花など及び動物の型などの加工物も本考案として設置・提供できるものとする。
【考案の詳細な説明】
【技術分野】
【０００１】  本考案はハイヒールを含む靴の踵部分の構造に新しいお洒落なファッションを楽しめる靴を提供する。本考案によって、靴のヒール装飾の新らしいファッション性の出現によって特にハイヒールなどの靴の拡販にも資する靴の構造に係る。
【背景技術】
【０００２】本考案はこれまで靴を支える役目のヒール部分つまり踵の側面及び背面に楕円形、半球体の金属製品、ガラス製品などを接着して靴の装飾具とする。さらに、ビー玉などの球体の踵部分の接着においてはの球体の大きさの合わせて任意の大きさの深さの窪み穴をを１個所及び複数箇所へ設ける。その穴にビー玉などの球体をそれぞれの深さへ押しこんで装着する。ビー玉なら透明模様や色彩の美しさによって新しいお酒落なイメージの靴が楽しめる。本考案によって、おもにシューズ業界のファッション性の昂揚及び購買意欲の喚起につながる。
【考案の概要】
【考案が解決しようとする課題】
【０００３】  例えば、装着する物体の形は球体、四角形、六角形、楕円形など靴本体のデザインに合わせて使用する。
【課題を解決するための手段】
【０００４】  当該物体の材質はビー玉のほか、色とりどりのカラーボールやすでに市販の透明色のクリアボール、野球ボールを模したカラーボールもあり、さらに夜光性の蓄光ボールであれは夜間にも光るので活用方法はより多彩となる。
【考案の効果】
【０００５】  また、本考案は靴のヒール部分であるが、例えばハイヒールやローヒール靴が商品化された場合を想定すると靴業界だけでなく本考案と組み合わせた衣服のファッションでも美しい相乗効果が提案される。
【考案を実施するための形態】
【０００６】  以下、本考案の踵部分に球体を装着した靴の構造の靴をその実施の最良の形態について図面の示す実施例に基づいて、ここでは球体の装着について説明する。
【０００７】  図１は本考案の実施例を示すものであり、靴の踵１の片側に穴２を掘り、ビー玉３を装着した靴である。
【０００８】  図２は図１と同じ施工を施して、ビー玉を挿入・設置した靴の反対側である。
【０００９】  図３は当該踵。図１と同じ施工を施してビー玉を挿入・設置した靴の背面である。
【図面の簡単な説明】
【００１０】
【図１】本考案の靴７の踵部８の側面ａに球体装飾物１を窪み穴４に押し込み設置した側面図である。
【図２】本考案の靴７の踵部８側面ｂに球体装飾物２を窪みに穴４押し込み設置したａの反対側の側面図である。
【図３】本考案の靴７の踵部８の背面側に球体装飾物３を窪み穴４に押し込み設置した背面図である。
【図４】本考案の靴７の踵部の３箇所に半球体装飾物３個を接着糊で設置した背面参考図である。本考案はハイヒールを含む靴のヒール部分の構造に関し、とくに女性のハイヒールに新しいお洒落なファッションを楽しめる靴。しいては本考案によって、靴のヒール装飾の新規性、ファッション性が優れることにより、靴の拡販にも資する靴の構造に係る。
【符号の説明】
【００１１】１・・・・・・・・・球体装飾物
２・・・・・・・・・球体装飾物
３・・・・・・・・・球体装飾物
４・・・・・・・・・窪み穴
５・・・・・・・・・靴の右側面、左側面及び背面側に接着糊で設置した３個の半球体装                    飾物
６・・・・・・・・・接着糊
７・・・・・・・・・靴
８・・・・・・・・・踵
【図１】
0003180520.tif 000003
【図２】
0003180520.tif 000004
【図３】
0003180520.tif 000005
【図４】
0003180520.tif 000006
【手続補正書】
【提出日】平成24年10月10日(2012.10.10)
【手続補正１】
【補正対象書類名】実用新案登録請求の範囲
【補正対象項目名】全文
【補正方法】変更
【補正の内容】
【実用新案登録請求の範囲】
【請求項１】
靴の踵部分に装飾用の球体物を取り付けた靴。
【請求項２】
靴の踵部分に半球体物を取り付けた靴。
(57)【要約】      （修正有）【課題】美観を損なうことなく、トイレに広告を設置できる容器を提供する。【解決手段】透明な容器に広告を入れ、人感センサーおよびＬＥＤを組合わせる。【選択図】図１
0003180515.tif 000002
【実用新案登録請求の範囲】
【請求項１】
大小トイレ内の使用場所の目線範囲内に設置する事
【請求項２】
媒体についてはプラスチックケース及び透明度の有るケースを使用する事
【請求項３】
媒体ケースは固定化する事で媒体は入れ替えが出来る様にする事
【請求項４】
より説得力を高める意味も含め人感センサー及びＬＥＤの内臓も追加しておこう。
【請求項５】
媒体の大きさの範囲はＡ４〔２９７×２１０〕以内とする
【請求項６】
美観を損なわない事
【請求項７】
公営代金の使用範囲は明確にし目的の為の媒体としてスポンサーに理解を得る事
【考案の詳細な説明】
【技術分野】
【０００１】本考案は公共施設及び大衆の集まる場所内のトイレに、新しいメディア広告として設置出来る事を考案する事です。ＬＥＤ及び人感センサー使用を含む事です。美観をそこなう事なくサイズを決める事です。
【背景技術】
【０００２】従来はトイレット内の大便小便を問わず広告媒体と大きな役割を提供した事実は皆無に近いと思いました。
【考案の開示】
ほっとする場所であるこそニューメディア
【考案が解決しようとする課題】
【０００３】この考案をするに当り公共施設〔道路公団及び個室のトイレットペーパー及び運営諸経費〕の削減となる事です。
【課題を解決するための手段】
【０００４】高速道路無料化の実現が難しい事がはっきりした現実がここに有ります。我々はマニフェストによって期待し喜んだ事です。高速道路代金無料化に限りなく近づける方法として考案した事を登録し、実現に向けて実行される事を望む者です。全国の道路公団及び国交省の管轄する公共施設のトイレ（大小）問わず広告媒体として使用し又掲示場所は特定します。
【考案の効果】
【０００５】掲示場所特定は大小便共に目の前（目線）の位置としてそれの以外は美観の点からも好ましくないと思います。
ほっとする場所です。広告の目的は見る人によっては深く印象付けとなり又ある動機付けとなって効果的な媒体となる事です。
【実施例１】
【０００６】公団及び公共施設内で使用するトイレットペーパー代及び管理の削減
【実施例２】削減した資金の別途活用
【実施例３】スポンサーについては地元の企業はもちろん国家としての事業の位置づけを行い、広く広く大企業（外国を含む）等に働きかけ、スポンサーの確保を国の省庁を決めて国交省や所管において確保する事です。
【図面の簡単な説明】
【０００７】
【図１】本実用実用新案の正面図である。
【図２】本実用新案の使用状態を示す図面である。
【符号の説明】
【０００８】１．広告媒体投入の本体
２．透明のプラスチックケース
３．広告の投入口入替可能とする
４．媒体設置時の方法
５．媒体に人感センサーＬＥＤ設定の可能な本体とする
６．設置場所は目線の範囲とする
【図１】
0003180515.tif 000003
【図２】
0003180515.tif 000004
【手続補正書】
【提出日】平成24年10月5日(2012.10.5)
【手続補正１】
【補正対象書類名】実用新案登録請求の範囲
【補正対象項目名】全文
【補正方法】変更
【補正の内容】
【実用新案登録請求の範囲】
【請求項１】
透明度のある容器に広告を投入し人感センサーおよびＬＥＤを組合せ、大小トイレの使用時広告を入れる為の容器に照明がつく事を特徴とする容器
【請求項２】
広告は容器内に対して交換出来る事を特徴とする請求項１記載の容器
【請求項３】
広告容器はビス止め及び強力両面テープを使用し固定化する事を特徴とする請求項１記載の容器
【請求項４】
広告を入れる為の容器の大きさの範囲はＡ４タイプ（２９７×２１０）以内にすることを特徴とする請求項１記載の容器
(57)【要約】      （修正有）【課題】ワンピース、ドレス、チュニック、シャツなどの婦人衣服の前面に鳩目穴を１箇所〜数か所を開けて取り付けることにより、衣服に色、型で各種装飾された鳩目が施された新しいファッションに生まれる衣服の構造を提供する。【解決手段】衣服の正面１に、各種、各色、各サイズ、各材質及び各形状の装飾形態が施された鳩目２ａ、２ｂを複数箇所に取り付ける。また、鳩目を衣服の首周り付近又は胸部周り付近に設置しても良い。鳩目の形状は、円形及び三角形、四角形、正方形、六角形のいずれかとし、さらに衣服の首周り付近の鳩目にネックレスなどの装飾用具を通しても良い。【選択図】図１
0003180519.tif 000002
【実用新案登録請求の範囲】
【請求項１】
衣服に取り付けた鳩目穴の周囲の留め具は各種、各色、各材質の装飾形態が施されて成り立つことを特徴する、衣服の複数箇所に取り付けた鳩穴を開けた構造の衣服。
【請求項２】
鳩目穴の穴を通すネックレスなどの紐の材質は金属、布、樹脂を含む。形状は布紐及金属製紐、棒状の各種装飾用品を装填出来ることを特徴とする穴を開けた構造の衣服。
【請求項３】
鳩目穴は形状、穴のサイズの大小、取り付け位置においては衣服の首付近又は胸部付近などへを設置できることを特徴とし、胸部に大きめのサイズの鳩目穴を開けて設置着用すればネックレスなどの装着ないまま肌の露出が発生すること、及び通風範囲の拡大により夏の高気温時の涼を楽しめると言う新たな利用価値の穴を開けた衣服の構造。
【請求項４】
穴の形状については、円形及び、三角形、四角形、正方形、六角形も特徴とする構造
【考案の詳細な説明】
【技術分野】
【０００１】  本考案はドレス、ワンピース、シャツ、ブラウス、チュニックなどの女性の衣服にハトメ穴を開けてネックレスを通して着用するという新しいお洒落なファッションを楽しめる衣服の新規性及び拡販にも資する衣服の構造に係る。
【背景技術】
【０００２】  従来から女性の着用する長めのネックレスは首から衣服の胸面へ吊り下げて着用していた。本考案によれば衣服の胸の上部に鳩目穴を２ケ所並んで開けておき、それぞれの穴の外からネックレスの左右の両留め具の先端を内側に通して首の後ろで留めて完了する。
【考案の概要】
【考案が解決しようとする課題】
【０００３】  よって、本考案によれば鳩目の構造に付帯する外環装飾パーツ類を金や瑪瑙などであしらうことにより新しい衣服の構造を演出できる。
さらに、ネックレスは首からいったん衣服に隠れて後に衣服の鳩目穴から再び衣服の表面に現れることで、これまでに無い新しい構造効果による新規性を楽しめる。それらによりアパレル業界の購買・流通効果をもたらすものである。
【課題を解決するための手段】
【０００４】  本考案は衣服の首に近い位置に並べて２箇所の穴をあけ、鳩目付けをして完成する。ネックレスを通すための鳩目穴は２箇所で良いが、装飾用として、２箇所以上の複数を任意の場所に開けても良い。
【考案の効果】
【０００５】  本考案をＴシャツ、ブラウス、ワンピースなど女性の衣服のそれぞれに装着すれば鳩目自身も単独で衣服のデザイン効果を高める。なお、ネックレスを通して着用すれば女性ファッションとしての新たな効果をも発生する。よって、需要増にも資するものである。
【考案を実施するための形態】
【０００６】  以下、本考案の鳩目穴をあけた衣服の構造をその最適な実施形態について、図面に示す実施例に基づいて具体的な説明をする。
【０００７】  図１は本考案の実施例を示すものであり、ワンピースの前面の胸部のやや上位置の中央寄りに横並びに２箇所に穴を開けて鳩目を取り付けた。
【図面の簡単な説明】
【０００８】
【図１】本願考案の鳩目穴を衣服の前面の左右２箇所に装着した正面図である。
【図２】本願考案の衣服の背面図である。鳩目穴は無い。
【図３】本願考案の衣服の断面図である。
【図４】本願考案の衣服へ鳩目穴にネックレスを通したイメージ図。
【符号の説明】
【０００９】１・・・・・・・・・衣服の正面
２、ａ、ｂ・・・・・鳩目穴
３・・・・・・・・・衣服の背面
４・・・・・・・・・鳩目を取り付けた部分の衣服断面
５・・・・・・・・・衣服に取り付けた鳩目の断面
６・・・・・・・・・鳩目の空洞部分の断面
７・・・・・・・・・ネックレス
【図１】
0003180519.tif 000003
【図２】
0003180519.tif 000004
【図３】
0003180519.tif 000005
【図４】
0003180519.tif 000006
【手続補正書】
【提出日】平成24年10月15日(2012.10.15)
【手続補正１】
【補正対象書類名】実用新案登録請求の範囲
【補正対象項目名】全文
【補正方法】変更
【補正の内容】
【実用新案登録請求の範囲】
【請求項１】
各種、各色、各サイズ、各材質及び各形状の装飾形態が施された鳩目を複数箇所に取り付けたことを特徴とする衣服。
【請求項２】
鳩目を衣服の首周り付近又は胸部周り付近に設置したことを特徴とする請求項１記載の衣服。
【請求項３】
鳩目の形状は、円形及び三角形、四角形、正方形、六角形のいずれかであることを特徴とする請求項１又は請求項２に記載の衣服。
【請求項４】
衣服の首周り付近の鳩目にネックレスなどの装飾用具を通すことを特徴とする請求項１〜請求項３のいずれか１項に記載の衣服。
(57)【要約】【課題】デザイン性が高く、サドルにフィットするサドルカバーを提供する。【解決手段】サドルカバー１は、開口部３を有し、自転車又は原動機付自転車のサドルをカバーするために伸縮自在なシート体からなるカバー部２と、開口部３を収縮するために開口部３の周縁全体に渡って設けられた伸縮部材４と、を備え、カバー部２の表面に模様が付されている。【選択図】図１
0003180574.tif 000002
【実用新案登録請求の範囲】
【請求項１】
開口部を有し、自転車又は原動機付自転車のサドルをカバーするために伸縮自在なシート体からなるカバー部と、前記開口部を収縮するために前記開口部の周縁全体に渡って設けられた伸縮部材と、を備え、前記カバー部の表面に模様が付されていることを特徴とするサドルカバー。
【請求項２】
前記伸縮部材の前方側が互いに重ね合わされ、接合されていることを特徴とする請求項１に記載のサドルカバー。
【請求項３】
前記シート体がシームレスであることを特徴とする請求項１又は請求項２に記載のサドルカバー。
【考案の詳細な説明】
【技術分野】
【０００１】
本考案は、自転車又は原動機付自転車のサドルをカバーするサドルカバーに関する。
【背景技術】
【０００２】
自転車用又は原動機付自転車用のサドルカバーは、従来から様々なものが考案されている（例えば、特許文献１）。近年のサドルカバーは非常に伸縮性の高い材料からなり、サドルに装着した際、その伸縮性によって皺がほとんど形成されることなくサドルにフィットする。しかしながら、このように伸縮性が高いサドルカバーは、その表面にデザインを構成する模様が付されたものはなく、デザイン性が低い。この種の商品の需要者は、商品を選択する際にデザイン性を非常に重視している。
【先行技術文献】
【特許文献】
【０００３】
【特許文献１】実開平０４−０６５６９１号公報
【考案の概要】
【考案が解決しようとする課題】
【０００４】
そこで、本考案が解決しようする課題は、デザイン性が高く、サドルにフィットするサドルカバーを提供することにある。
【課題を解決するための手段】
【０００５】
本考案に係るサドルカバーは、開口部を有し、自転車又は原動機付自転車のサドルをカバーするために伸縮自在なシート体からなるカバー部と、開口部を収縮するために開口部の周縁全体に渡って設けられた伸縮部材と、を備え、カバー部の表面に模様が付されていることを特徴とする。
【０００６】
好ましくは、伸縮部材の前方側が互いに重ね合わされ、接合されている。
【０００７】
好ましくは、シート体がシームレスである。
【考案の効果】
【０００８】
本考案に係るサドルカバーは、上記の通り、伸縮自在なシート体からなるカバー部と、カバー部の開口部を収縮するための伸縮部材とからなり、自転車又は原動機付自転車のサドルに装着すると、カバー部がサドルにぴったりとフィットする。そして、カバー部の表面には模様が付されているので、デザイン性が高く、需要者の興味を惹く。
【図面の簡単な説明】
【０００９】
【図１】本考案に係るサドルカバーを示す図であり、図１Ａは平面図で、図１Ｂは底面図である。
【図２】本考案に係るサドルカバーが自転車のサドルに装着された状態を示す斜視図である。
【考案を実施するための形態】
【００１０】
以下、図面を参照して、本考案に係るサドルカバー（以下、単にサドルカバーという）について説明する。なお、以下の実施形態では、サドルカバーを、自転車のサドルに適用する場合を例にして説明するが、原動機付自転車のサドルにも同様に適用することができる。
【００１１】
サドルカバー１は、図１Ａ、図１Ｂに示す通り、自転車のサドルをカバーするためのカバー部２を備える。カバー部２は、伸縮自在なシート体からなる。カバー部２は、自転車のサドルの少なくとも上面及び周側面をカバーできるように、底面に開口部３を有する袋状に形成される。シート体は、シームレスである（継ぎ目がない）。シート体は、防水性を有する。この伸縮性を有するシート体は、例えばポリウレタンであるが、これに限定されるものではない。
【００１２】
サドルカバー１は、開口部３を収縮するために伸縮性を有する伸縮部材４を備える。伸縮部材４は、開口部３の周縁全体に渡って設けられる。本実施例では、伸縮部材４は、ゴム紐であり、開口部３の周縁全体に渡って縫着されている。伸縮部材４の前方側５、５は、互いに重ね合わされて、縫着、接着等により接合されている。なお、伸縮部材４は、ゴム紐に限定されない。
【００１３】
図１Ａ、図１Ｂでは、図示を省略したが、実際のカバー部２の表面には、図２Ａ〜図２Ｃに示すように、デザイン性を向上させるために模様が付されている。図２Ａ〜図２Ｃに示される模様は、染料、顔料等によって、カバー部２の表面にプリントされている。
【００１４】
模様は、例えば図２Ａに示すようなドット柄や、チェック柄等の柄模様であったり、図２Ｂに示すような星マークや、ハートマーク等の図形、記号を含むものであったり、また、図２Ｃに示すような文字を含むものである。その他、模様は、キャラクターを含むものでもよい。図２Ａ〜図２Ｃは、グレースケールで示されているが、実際には、白、黒以外の色彩が付される。なお、模様は、上記に限定されない。
【００１５】
上記構成からなるサドルカバー１は、開口部３を伸縮部材４の収縮力に抗して拡げて、袋状のカバー部２内にサドルを納めることで、サドルに着脱可能に装着できる。サドルカバー１を装着すると、カバー部２は少なくともサドルの上面及び周側面をカバーする。
【００１６】
このサドルカバー１では、そのカバー部２の高い伸縮性によって、サドルの上面及び周側面をカバーしている部分にほとんど皺が形成されることはなく、サドルにぴったりとフィットする。また、サドルカバー１は、子供用サイズのサドルから大人用サイズのサドルまで様々なサイズのサドルにぴったりとフィットする。
【００１７】
さらに、カバー部２の表面に模様が付されていることによりデザイン性が向上している。図２Ａ〜図２Ｃから明らかなように、サドルに装着してカバー部２が伸びているときでも、表面にプリントされた模様には亀裂、ひびが入らず、模様が崩れない。このように、サドルカバー１を装着することで、自転車のサドルのファッション性が向上する。
【００１８】
以上、本考案の好ましい実施形態を説明したが、本考案の構成は本実施形態に限定されるものではない。
【符号の説明】
【００１９】
１  サドルカバー
２  カバー部
３  開口部
４  伸縮部材
５  伸縮部材の前方側
【図１】
0003180574.tif 000003
【図２】
0003180574.tif 000004
(57)【要約】      （修正有） 【課題】帽子のサイズベルトに使用できる取り外し可能な薄型クリップを提供する。【解決手段】基板２と、押え板３と、それを接続するカシメ４からなり、基板２は、長方形状で、上部に、左右の布差込孔２３を備え、その下部からU字型の切り込線２２に沿って切り抜いて、谷折した曲板２５を備える。さらに、押え板３は、長方形状で、カシメ孔と挿入スリットからなり、曲板２５は、挿入スリットに挿入して、基板２と押え板３が、カシメ４で接続された構成で、曲板２５の先端部である曲板先端部２５aを押すことにより、曲板先端部２５aと基板との間に布を、布差込孔２３まで差し込むことで、しっかり挟むようにする。【選択図】図１
0003180676.tif 000002
【実用新案登録請求の範囲】
【請求項１】
基板２と、押え板３と、それを接続するカシメ４からなり、基板２は、長方形状で、上部に、左右の布差込孔２３を備え、その下部からU字型の切り込線２２に沿って切り抜いて、谷折した曲板２５を備え、押え板３は、長方形状で、カシメ孔３１と挿入スリット３２からなり、曲板２５は、挿入スリット３２に挿入して、基板２と押え板３が、カシメ４で接続された構成で、曲板２５の先端部である曲板先端部２５aを押すことにより、曲板先端部２５aと基板との間に布を、布差込孔２３まで差し込むことで、しっかり挟むようにしたことを特徴とする薄型クリップ。
【請求項２】
曲板２５の中央部には２本の折れ線A（２４a）と折れ線B（２４ｂ）を水平に設けて折り曲げやすくしたことを特徴とする請求項１記載の薄型クリップ。
【請求項３】
基板と押さえ板の部材が可塑性に有する基材で構成したことを特徴とする請求項１記載の薄型クリップ。
【考案の詳細な説明】
【技術分野】
【０００１】
本考案は帽子のサイズベルト等に取り外し可能な薄型クリップに関する。
【背景技術】
【０００２】
従来、上下左右から挟み込む洗濯バサミのような形状の厚さがあるクリップがあった。
【先行技術文献】
【特許文献】
【０００３】
【特許文献１】実開平７−２６１６５公報
【考案の概要】
【考案が解決しようとする課題】
【０００４】
帽子のサイズベルトに、例えば、日除けカバーなどをつけるのに、洗濯バサミのようなクリップではクリップが厚いため、使用できなかった。クリップを小型にしても、厚く肌に触れる部分は厚みによる不快感を感じさせ、また挟み込む強度も弱かった。
本考案は、帽子のサイズベルトに使用できる薄型にクリップを提供することを目的とする。
【課題を解決するための手段】
【０００５】
基板２と、押え板３と、それを接続するカシメ４からなり、基板２は、長方形状で、上部に、左右の布差込孔２３を備え、その下部からU字型の切り込線２２に沿って切り抜いて、谷折した曲板２５を備え、押え板３は、長方形状で、カシメ孔３１と挿入スリット３２からなり、曲板２５は、挿入スリット３２に挿入して、基板２と押え板３が、カシメ４で接続された構成で、曲板２５の先端部である曲板先端部２５aを押すことにより、曲板先端部２５aと基板との間に布を、布差込孔２３まで差し込むことで、しっかり挟むようにしたことを特徴とする薄型クリップ。
【０００６】
曲板２５の中央部には２本の折れ線A（２４a）と折れ線B（２４ｂ）を水平に設けて折り曲げやすくしたことを特徴とする薄型クリップ。
【０００７】
基板と押さえ板の部材が可塑性に有する基材で構成したことを特徴とする薄型クリップ。
【考案の効果】
【０００８】
帽子のサイズベルトに使用できる薄型クリップを提供する。
【図面の簡単な説明】
【０００９】
【図１】本考案の薄型クリップの構成（ａ）正面斜め方向、（ｂ）背面斜め方向
【図２】本考案の薄型クリップの各部の構成と組立図（ａ）基板（ｂ）押え板  （ｃ）組立図
【図３】本考案の薄型クリップの使用図
【考案を実施するための形態】
【００１０】
図１は、考案の薄型クリップの構成である。（ａ）は、正面斜め方向、（ｂ）は、背面斜め方向を示す。図２は考案の薄型クリップの各部の構成と組立図を示す。（ａ）は基板、（ｂ）は押え板、（ｃ）は組立図である。
薄型クリップは基板２と押え板３とそれを接続するカシメ４からなる。基板２の上部の左右に、布を挿入してはさむための布差込孔２３を設ける。布差込孔２３の下からU字型の切り抜き２２に沿って切り抜き、谷折して曲板２５を形成する。曲板２５は、さらに前に曲板されることにより、曲板先端部２５aの先が、後方に曲板される。曲板２５に中央部には２本の折れ線A（２４a）と折れ線B（２４ｂ）を水平に設けて、折れ線A折れ線Bを折り丸める事により曲板２５が上部に曲り、曲板先端部２５aの先が上部に曲げられることで窓部２６が出来る。
【００１１】
図２の（ｃ）に示すように、基板２の曲板２５を押え板３の挿入スリット３２に挿入する。基板２に押え板３を、前から当てカシメ４でかしめる。
【００１２】
図３は、本考案の薄型クリップの使用例である。基板２の曲板２５の曲板先端部２５aを指で押しながら、押え板３との間に布を挟み込み、布差込孔２３まで布をいれる事により、布のずれ落ちを防止し、布を挟み込む強度も増す事ができる。この様に帽子の内側に設けたサイズベルト等に本考案の薄型クリップを使用する事で違和感なく取り付ける事ができる。
【符号の説明】
【００１３】
１  薄型クリップ
２  基板
２１    カシメ孔
２２    切り抜き
２３    布差込孔
２４ａ  折線Ａ
２４ｂ  折線Ｂ
２５    曲板
２５ａ  曲板先端部
２６    窓部
３  押え板
３１    カシメ孔
３２    挿入スリット
４  カシメ
５  布
【図１】
0003180676.tif 000003
【図２】
0003180676.tif 000004
【図３】
0003180676.tif 000005
(57)【要約】      （修正有）【課題】刃が折れにくく、石膏に対し効率よく切削できる歯科技工用石膏ナイフを提供する。【解決手段】ナイフの形状を片刃にして断面形状を曲面に削る。【選択図】図１
0003180663.tif 000002
【実用新案登録請求の範囲】
【請求項１】
歯科技工用石膏ナイフの刃の形状として、刃を片刃に断面形状を曲面にすることで石膏に対してクサビ効果を発揮し、少ない力で石膏を切削できる石膏ナイフの刃の形状。
【考案の詳細な説明】
【技術分野】
【０００１】
本考案は、歯科技工用に用いられるナイフの刃の形状に関してのものである。
【背景技術】
【０００２】
これまでに歯科技工ように使用するナイフは薄刃で刃が交換式のデザインナイフか、技工用に作られた刃の形状が両刃の石膏ナイフがあった。
【０００３】
しかし、薄刃のデザインナイフは刃が折れやすく折れた刃先が飛び危険であり、従来からある両刃の石膏ナイフは切削角度が大きすぎ細かい切削に力を入れすぎる傾向があった（図１の２）。この2つのナイフの利点を兼ね備えた歯科技工用の石膏ナイフは存在しなかった。
【考案の概要】
【考案が解決しようとする課題】
【０００４】
解決しようとする問題点は刃が折れにくく、石膏に対し効率よく切削できる刃の形状をした歯科技工用石膏ナイフである。
【課題を解決するための手段】
【０００５】
ナイフの形状を片刃にすることで石膏を切削する角度を減少させ効率のよい切削を可能とした（図１の１）。刃を片刃にすることで先端部は薄く根元部分の刃厚を大きくすることができ刃を折れにくくした（図２の３）。またナイフの断面形状を直線に削るのではなく、曲面に削ることで（図２の２）石膏に対してクサビ効果を発揮し切削時に少ない力で切削を可能とした（図２の１）。  
【図面の簡単な説明】
【０００６】
【図１】ナイフを石膏に当てた場合どの角度で切削できるか説明した図である。
【図２】ナイフの刃の断面形状と石膏を切削する場合に働く力を説明した図である。
【実施例】
【０００７】
図１は、ナイフを石膏に当てた場合の切削可能角度であり１は本考案ナイフで２は従来品である。
【０００８】
図２は本考案ナイフで石膏を切削する場合の石膏に対するクサビ効果を示した図であり、１は石膏に対するクサビ効果を示した図であり、２は本考案ナイフの断面である。３はナイフの刃の肉厚を示した図である。
【図１】
0003180663.tif 000003
【図２】
0003180663.tif 000004